(57)【要約】  使用の容易さを向上するために、電気カミソリ（１）が提案され、この電気カミソリは、第一モータ（２０）によって駆動される毛を刈り込むための切断ユニット（２）と、第二モータ（３０）によって駆動される切落としを吸収するための吸引ユニット（３）とを含み、第二モータ（３０）は、少なくとも２つの異なるモードで機能するよう動作可能であり、モードの一方は、より低い吸引力をもたらし、モードの他方は、より高い吸引力をもたらす。
2010503450.tif 000002
【特許請求の範囲】
【請求項１】
第一モータによって駆動される毛を刈り込むための切断ユニットと、
第二モータによって駆動される切落としを吸収するための吸引ユニットとを含み、
前記第二モータは、少なくとも２つの異なるモードで機能するよう動作可能であり、前記モードの一方は、より低い吸引力をもたらし、前記モードの他方は、より高い吸引力をもたらすことを特徴とする、
電気カミソリ。
【請求項２】
前記吸引ユニットは、前記第二モータによって駆動されるファンを含むことを特徴とする、請求項１に記載の電気カミソリ。
【請求項３】
前記第二モータは、異なる値の毎分回転数で動作可能であることを特徴とする、請求項２に記載の電気カミソリ。
【請求項４】
前記吸引ユニットは、前記第二モータによって駆動される２つのラジアルファンを含むことを特徴とする、請求項２又は３のいずれか１項に記載の電気カミソリ。
【請求項５】
毛切落としを収集する容器を含み、該容器は、前記ファンの前に、吸引方向に配置されることを特徴とする、請求項２乃至４のうちのいずれか１項に記載の電気カミソリ。
【発明の詳細な説明】
【技術分野】
【０００１】
本発明は、第一モータによって駆動される毛を刈り込むための切断ユニットと、第二モータによって駆動される切落としを吸収するための吸引ユニットとを含む、電気カミソリに関する。
【背景技術】
【０００２】
電気カミソリ（毛トリマ）は、普通、モータの助けを受けて互いに対して移動される２つのブレードを備える切断ユニットを有する。切断ユニットは、通常、モータ、究極的には、切断ユニット用の電源としての電池を収容する、毛切断装置のケーシング上に取り付けられ、ケーシングは、手持ち式毛刈込みシステム用のハンドルとしても役立つ。
【０００３】
切断されるべき毛は、ブレードの歯の間に捕捉され、ブレードの往復運動の故に切断される。普通、ブレードの一方のみが往復動し、他方は固定的である。安全性の理由のために、固定ブレードは、しばしば、切断されるべき毛を備える皮膚の隣にあるよう選択され、よって、怪我を避けるために、皮膚を往復動するブレードから保護する。
【０００４】
切断された毛又は切落としは、普通、落下し、刈込み対象、トリマ、及び、周囲の空間を汚す。この厄介を避けるために、切落としを吸引し且つ収集する吸引システムを備えるトリマが商業的に入手可能である。
【０００５】
内部真空動力吸引ユニットを備える電気カミソリの１つの実施例が、ＵＳ２００２／０１０８２５５Ａ１号に開示されている。開示される電気カミソリは、身繕い中にトリマによって生成される毛切落としを収集する内部真空システムを有する。電気カミソリは、２つの主要機構、電気カミソリ及び真空動力吸引ユニットから成る。内部真空を備える電気カミソリは、モータと、配線と、動力源とを収容する外部本体から成る。加えて、電気カミソリケーシングも、真空動力吸引ユニットを収容する。電気カミソリは、一対の往復動する切断ブレードや、ブレードを駆動する電気モータも含む。真空動力吸引ユニットは、空気取入口と、フィルタユニットと、ハブスターケージ又はタービン式インペラと、フィルタユニットハウジングと、少なくとも１つの外部排出ポートとを含む。吸引ユニットは、身繕い中にブレードによって創成される切落としを捕捉するよう設計される。
【発明の概要】
【発明が解決しようとする課題】
【０００６】
最新技術の吸引ユニットを備えるトリマの使用の容易性をさらに向上することが本発明の目的である。
【課題を解決するための手段】
【０００７】
この目的は、第一モータによって駆動される毛を刈り込むための切断ユニットと、第二モータによって駆動される切落としを吸収するための吸引ユニットとを含み、第二モータは、少なくとも２つの異なるモードで機能するよう動作可能であり、モードの一方は、より低い吸引力をもたらし、モードの他方は、より高い吸引力をもたらす電気カミソリによって達成される。
【０００８】
１つは切断ユニット用であり、１つは吸引ユニット用である、２つの異なるモードを有する、そのような電気カミソリは、切断ユニットの動作と無関係に、吸引ユニットのための異なる駆動モードを選択することを可能にする。吸引ユニットのための異なる駆動モードは、収集されるべき切落としの長さ、厚さ、及び、数に適合される電気カミソリの使用者から選択されるべき異なる吸引力を可能にするという重要な利点を有する。よって、切落としの効率的な収集が、全ての状況において保証される。
【０００９】
より高い吸引力は、普通、より高いエネルギ消費の結果を有し、時折、より高い騒音のような他の厄介を有する。それが実際に必要なときに、より高い吸引力のみを選択する可能性は、エネルギ消費の最小限化を可能にし、且つ、必要な吸引力を提供することを可能にするという利点を有する。
【００１０】
電気カミソリは、人間であれ、或いは、動物であれ、毛管であれ、髭であれ、陰毛であれ、或いは、その他であれ、如何なる種類の毛に対しても使用され得ることが分かるであろう。
【００１１】
本発明の好適実施態様において、吸引ユニットは、第二モータによって駆動されるファンを含む。ファンは、空気を輸送し、よって、ファンによって取り込まれる空気と共に切落としを吸引する真空を創成する。ファンに基づく吸引ユニットは、比較的安価であるという利点を有する。余り多くの空間を必要とせず、従って、電気カミソリ内部で簡単に実施され得る。
【００１２】
有利に、第二モータは、異なる値の毎分回転数で動作可能である。吸引ユニットのモータを異なる値の毎分回転数で動作することによって、異なる吸引力が達成され得る。特に、ファンに基づく吸引システムの場合には、ファンの速度は、駆動モータの毎分回転数のより高い値によって増大される。ファンの速度が高ければ高いほど、結果として得られる吸引力は高い。
【００１３】
本発明の好適実施態様において、吸引ユニットは、第二モータによって駆動される２つのラジアルファンを含む。この実施態様は、２つの吸引流を有することによる吸引力の特定の幾何学的配置のための構成を可能にするという利点を有する。これは切落としを吸引し且つ収集する効率をさらに向上する。
【００１４】
電気カミソリは、好ましくは、毛切落としを収集する容器を含み、この容器は、ファンの前で、吸引方向に配置される。毛切落としはファンに達しないので、ファンの保守の必要はより少なく、よって、電気カミソリの使用の容易さ及び耐用年数を向上する。
【００１５】
本発明の詳細な記載が以下に提供される。前記記載は、添付の図面を参照して読まれるべき非限定的な実施例によって提供される。
【図面の簡単な説明】
【００１６】
【図１】電気カミソリの第一実施態様を示す概略図である。
【図２】電気カミソリの第二実施態様を示す概略図である。
【図３】ラジアルファンの実施例を示す斜視図である。
【図４ａ】電気カミソリの第三実施態様を示す断面図である。
【図４ｂ】電気カミソリの第三実施態様を示す三次元図である。
【図５】電気カミソリのさらなる実施態様を示す断面図である。
【発明を実施するための形態】
【００１７】
本発明は電気カミソリ（髭トリマ）１に関してより詳細に説明される。しかしながら、本発明は、例えば、クリッパ又はシェーバのような、切断又は刈込みのために設計される如何なる装置にも同様に実施され得ることが分かるであろう。
【実施例１】
【００１８】
図１は、切断ユニット２と、吸引ユニット３とを含む、電気カミソリ１の第一実施態様を概略的に示しており、切断ユニット及び吸引ユニットは、双方とも、ケーシング７内に収容されている。切断ユニット２の主要構成部品は、スピンドル２１、伝動装置２４、及び、シャフト２２の助けを受けて、周知の方法で往復動するブレード２３を駆動する電気モータ２０である。往復運動の方向は、二重矢印によって示されている。
【００１９】
電気モータ２０は再負荷可能な電池４によって電力供給され、スイッチ５１を押し下げることによってオンオフ切り替えられ得る。ランプ６１は電気モータ２０のスイッチがオンにされたか否かを表示する。
【００２０】
当業者によって周知であるように、ブレード２３の一方は固定的であり、ブレード２３の他方は、固定ブレードに対して往復動的に移動する。刈り込まれるべき毛が櫛によるように固定ブレードによって捕捉され、次に、往復動するブレードの移動する歯によって切断されるよう、両方のブレード２３は歯付きである。切断される毛又は切落としは、それらが直ぐ隣の環境を汚す前に、吸引ユニット３によって吸収される。
【００２１】
これを達成するために、吸引ユニット３は、ブレード２３の隣から開始し、空気、及び、究極的には、切落としをファン３２に導く取入口３３を含む。ファン３２は、ラジアルファンであり、その内部設計は、図３に例証されている。ファン３２は、底板３２２と、頂板（図１を参照）と、側壁（図示せず）とによって閉じ込められる湾曲した翼３２０を含み、空気／切落とし入力のための開口３６と、切落としを収集するための容器３４に至る空気／切落とし出力のための開口３７とを備える。その軸の周りでファン３２を回転し、よって、翼３２０を移動することによって、空気、及び、究極的には、切落としは、外側から空気取入口３３を通じて容器３４にファン３２の径方向に輸送され、切落としは、容器で収集される。
【００２２】
如何なる他の種類のファン、具体的には、軸流ファンも同様に使用され得ることが分かるであろう。
【００２３】
容器３４内に吸引される空気は、フィルタ３５を通じて容器から出ることが可能であり、フィルタは、切落としが容器３４内部に保持されることを保証する。精巧さの低い実施態様では、容器３４とケーシング７内部の他の構成部品並びにケーシングの隣接部分との間のスリットが、フィルタ３５の機能を有し得る。容器３４は、それを空にするために、ケーシング７から取り外し可能である。充満レベルは、専用表示器で示され得る。他の可能性は、容器３４のために透明材料を選択することである。
【００２４】
ファン３２は、スピンドル３１の助けを受けて、電気モータ３０のお陰で回転される。ファン３２は、スピンドル３１と結合されるべきアダプタ３２１（図３を参照）を有する。モータ３０は、切断ユニット２のモータ２０のような再負荷可能な電池４によって電力供給され、スイッチ５２を異なる位置にシフトすることによって切り替えられ得る。各位置は、ファン３２及びモータ３０の毎分回転数の一定値をそれぞれ表し、点灯されたり消灯されたりする１つ又はそれよりも多くのランプ６２によって表示される。
【００２５】
ファン３２の寸法及び毎分回転数に依存して、ファン３２によって輸送される毎時間単位容積、即ち、吸引力は変化する。毎時間単位容積の比率は、毎分回転数の比率と等しい。例えば、３６ｍｍの直径を有する図３に示されるようなファンを備える図１に示される実施態様に従ったトリマは、モータ３０及びファン３２の約６５００毎分回転数に関して約１毎秒リットル、約８０００毎分回転数に関して１．２５毎秒リットルの吸引空気容積を達成し得る。試験は、毎分回転数の値を増大することによる明らかな制限なしに吸引力が増大され得るのに対し、毎分回転数の値を増大することによって切断能力が所定レベルまでだけ増大され得ることを示した。もし値が高過ぎる、即ち、往復動ブレードが速く移動し過ぎるならば、切断されるよりも多くの毛がブレード歯の外側に押される。
【００２６】
３６ｍｍの直径を有するファン３２を備える例証的な電気カミソリの場合には、許容可能な切断性能を保証する最大可能な値は、約９０００毎分回転数である。毎分回転数が増大すると、エネルギ消費のみならず、生成される騒音も増大する。良好な切断能力のみならず、適度のエネルギ消費並びに過剰な騒音の回避の観点からも、前記例証的な電気カミソリの場合に、約６５００毎分回転数の値が、切断ユニット２のモータ２０のために好適であるのに対し、吸引ユニット３のモータ３０のためにも、吸引ユニット３をオンに切り替えるときに、毎分回転数の規定値は同様に約６５００毎分回転数である。しかしながら、吸引モータ３０は、吸引力を増大するために、より高い値、例えば、７５００、８５００、及び、９５００毎分回転数まで切り替えられ得る。より低い並びにより高い吸引動力モードのみを有する類似の例証的な電気カミソリの場合には、より低いモード、例えば、約６５００毎分回転数、並びに、より良好な吸引のためのより高いモード、例えば、約８０００毎分回転数が選択され得る。
【００２７】
毎分回転数の所望の値は、それぞれのトリマの寸法、具体的には、ファン及び空気取入口並びにモータの寸法に依存することが分かるであろう。
【００２８】
１つは切断ユニット２のためで、１つは他方は吸引ユニット３のための、２つの異なるモータ２０，３０を有する電気カミソリ１は、切断ユニット２の動作と独立して、吸引ユニット３のための異なる駆動モードを選択することを可能にする。吸引ユニット３のための異なる駆動モードは、収集されるべき切落としの長さ、厚さ、及び、数に適合される電気カミソリ１の使用者から選択されるべき異なる吸引力を可能にするという重要な利点を有する。よって、切落としの効率的な収集が全ての状況において保証される。
【００２９】
より高い吸引力は、普通、より高いエネルギ消費の結果を有し、時折、より高い騒音のような他の厄介を有する。それが実際に必要であるときに、より高い吸引力のみを選択する可能性は、必要な吸引力を提供するにも拘わらず、エネルギ消費及び騒音の最小限化を可能にするという利点を有する。
【００３０】
２つの異なるモータ２０，３０を有することは、騒音の観点から特に有利である。何故ならば、切断ユニット２は、普通、同一の値の毎分回転数に関して吸引ユニット３よりも騒々しいからである。よって、切断ユニット２及び吸引ユニット３を駆動する１つだけのモータを有するトリマと比較して、より少ない騒音を伴うより高い吸引力を提供することが可能である。それにも拘わらず、実際の刈込み状況の機能において吸引力を規制する可能性は、切断ユニット及び吸引ユニットのための１つのモータと共に、トリマの実質的な改良であることが分かるであろう。
【００３１】
当業者に周知であるように、現時点で記載される実施態様は、苅込み長さを規制する追加的な櫛ユニットを可能にすることがさらに分かるであろう。
【実施例２】
【００３２】
図２は、２つのラジアルファン３２ａ，３２ｂを備える電気カミソリの実施態様を概略的に例証している。両方のファン３２ａ，３２ｂは、スピンドル３１、伝動機構３８、スピンドル３９ａ，３９ｂを経由して、モータ３０によって駆動される。各ファン３２ａ，３２ｂは、その専用の空気取入口３３ａ，３３ｂを有する。空気取入口３３ａ，３３ｂは、切落としの吸引をより効率的にするために、ブレード２３の各側で空気を取り込み、毛切落としを吸引するよう配置される。両方のファン３２ａ，３２ｂは、切落としを収集するための共通の容器３４内に空気及び切落としを排出する。
【００３３】
切落とし吸引を向上するために達成することを望む吸引幾何に依存して、空気取入口は他の方法でも配置され得ることが分かるであろう。同様に、２つよりも多く、例えば、３つ、４つ、５つのファンも使用され得るし、必要とされるトリマの寸法及び吸引力に依存して、ファンは個別のモータによっても駆動され得る。
【００３４】
図２に例証されるような実施態様では、例えば、右側耳又は左側耳の周りの毛を刈り込むかに依存してトリマが頭毛を刈り込むために使用される場合には、他方のファンと独立して一方のファンの吸引力を規制し得るよう各１つのファンを駆動する、２つのモータを有することが有利であり得る。
【実施例３】
【００３５】
図４ａは、電気カミソリ１のさらなる実施態様の切断図を概略的に示している。図４ａに示される電気カミソリ１は、毛切落としを収集するための容器３４がファン３２の前に吸引方向に配置されている点で、前のものと異なる。
【００３６】
吸引方向は、電気カミソリ１を通じる吸引空気の進路を例証する矢印によって示されている。即ち、空気は、毛切落としが行われるブレードの直ぐ隣で吸引される。図４ｂ中の電気カミソリ１の三次元図から見られ得るように、空気取入口３３は、最大の毛切落としを最適に吸引するよう、細長く且つブレード３３と平行である。毛切落としは、ブレード２３を駆動するモータ２０の隣の容器３４（図４ａを参照）内に直ちに導かれる。そこでは、毛切落としは収集されるのに対し、空気は、スピンドル３９を介してモータ３０によって駆動されるファン３２自体に入る前に、フィルタ３５を通じて中間室４１内を移り、空気排出口３３０を通じて電気カミソリ１のケーシング３７から出る。現在の実施例において、排出口３３０は、ファン３２のハウジングによって形成され、多数の孔（図４ｂも参照）を提供する。モータ３０は、異なる速度にあるファンの回転を提供するよう、異なる速度で動作するよう構成され、よって、使用者によって選択されるべき異なる吸引力を保証する。
【００３７】
ファン３４の前の容器３４の現在の配置は、幾つかの利点を有する。ファン３２が毛切落としで汚されることを防止することの他に、それは最小の空間を必要とする容器３２の容易な取り外しを可能にする。それはさらに空気取入口３３の拡大を可能にする。これは中間室４１によって強化され、空気によって通らされるより一層大きい地域をもたらす。これはファン３２の吸引力を大きく向上する。何故ならば、流れ抵抗が減少されるからである。
【実施例４】
【００３８】
図５は、上述された着想がブレード２３並びにファン３２を駆動するための１つだけのモータ４０を有する電気カミソリ１にも適合され得ることを示している。この目的を達成するために、モータ４０は、ブレード２３を駆動する第一スピンドルと、ファン３２を駆動する第二スピンドル３９とを提示する。図５の電気カミソリ１は、製造するのがより簡単であり、より低いエネルギ消費を有する。しかしながら、幾つかの欠点がある。１つは、２つのモータの実施態様よりも高い吸引力で動作されるときに、電気カミソリがより騒々しいことである。何故ならば、高速で移動するブレードは、極めて騒々しいからである。次に、上記に説明されたように、提供され得る吸引力は、切断効率が高速と共に悪化するという事実によって制限される。さらに、もしモータ４０が故障するならば、電気カミソリは使用され得ないのに対し、２つのモータを備える電気カミソリは、ファンモータ３０のみが故障しても、依然として使用され得る。
【００３９】
本発明の幾つかの好適実施態様が記載されたが、当業者は、様々な変更、改変、及び、置換が本発明の精神及び着想から逸脱せずに行われ得ることを理解するであろう。従って、本発明は、その形態又は付属の請求項の適切な範囲での修正のいずれにおいても請求される。例えば、以下の従属項の機能の様々な組み合わせは、本発明の範囲から逸脱せずに、独立項の機能と共に行われ得る。さらに、請求項内の如何なる参照番号も範囲を制限するものとして解釈されてはならない。
【符号の説明】
【００４０】
１      電気カミソリ（髭剃り）
２      切断ユニット
２０    モータ
２１    スピンドル
２２    シャフト
２３    ブレード
２４    伝動機構（ギアリング）
３      吸引ユニット
３０    モータ
３１    スピンドル
３２    ラジアルファン
３２ａ，ｂ  ラジアルファン
３２０  翼（ベーン）
３２１  アダプタ
３２２  底
３２３  蓋
３３    空気取入口
３３ａ，ｂ  空気取入口
３３０  空気排出口
３４    容器
３５    フィルタ
３６    入力
３７    出力
３８    伝動機構（ギアリング）
３９    スピンドル
３９ａ，ｂ  スピンドル
４      電池
４０    モータ
４１    中間室
５１    スイッチ
５２    スイッチ
６１    ランプ
６２    ランプ
７      ケーシング
【図１】
2010503450.tif 000003
【図２】
2010503450.tif 000004
【図３】
2010503450.tif 000005
【図４ａ】
2010503450.tif 000006
【図４ｂ】
2010503450.tif 000007
【図５】
2010503450.tif 000008
【手続補正書】
【提出日】平成21年3月17日(2009.3.17)
【手続補正１】
【補正対象書類名】明細書
【補正対象項目名】全文
【補正方法】変更
【補正の内容】
【発明の詳細な説明】
【技術分野】
【０００１】
本発明は、第一モータによって駆動される毛を刈り込むための切断ユニットと、第二モータによって駆動される切落としを吸収するための吸引ユニットとを含む、電気カミソリに関する。
【背景技術】
【０００２】
電気カミソリ（毛トリマ）は、普通、モータの助けを受けて互いに対して移動される２つのブレードを備える切断ユニットを有する。切断ユニットは、通常、モータ、究極的には、切断ユニット用の電源としての電池を収容する、毛切断装置のケーシング上に取り付けられ、ケーシングは、手持ち式毛刈込みシステム用のハンドルとしても役立つ。
【０００３】
切断されるべき毛は、ブレードの歯の間に捕捉され、ブレードの往復運動の故に切断される。普通、ブレードの一方のみが往復動し、他方は固定的である。安全性の理由のために、固定ブレードは、しばしば、切断されるべき毛を備える皮膚の隣にあるよう選択され、よって、怪我を避けるために、皮膚を往復動するブレードから保護する。
【０００４】
切断された毛又は切落としは、普通、落下し、刈込み対象、トリマ、及び、周囲の空間を汚す。この厄介を避けるために、切落としを吸引し且つ収集する吸引システムを備えるトリマが商業的に入手可能である。
【０００５】
内部真空動力吸引ユニットを備える電気カミソリの１つの実施例が、ＵＳ２００２／０１０８２５５Ａ１号に開示されている。開示される電気カミソリは、身繕い中にトリマによって生成される毛切落としを収集する内部真空システムを有する。電気カミソリは、２つの主要機構、電気カミソリ及び真空動力吸引ユニットから成る。内部真空を備える電気カミソリは、モータと、配線と、動力源とを収容する外部本体から成る。加えて、電気カミソリケーシングも、真空動力吸引ユニットを収容する。電気カミソリは、一対の往復動する切断ブレードや、ブレードを駆動する電気モータも含む。真空動力吸引ユニットは、空気取入口と、フィルタユニットと、ハブスターケージ又はタービン式インペラと、フィルタユニットハウジングと、少なくとも１つの外部排出ポートとを含む。吸引ユニットは、身繕い中にブレードによって創成される切落としを捕捉するよう設計される。
【発明の概要】
【発明が解決しようとする課題】
【０００６】
最新技術の吸引ユニットを備えるトリマの使用の容易性をさらに向上することが本発明の目的である。
【課題を解決するための手段】
【０００７】
この目的は、第一モータによって駆動される毛を刈り込むための切断ユニットと、第二モータによって駆動される切落としを吸収するための吸引ユニットとを含むケーシングを有する電気カミソリであって、第二モータは、切断ユニットの動作と独立して、少なくとも２つの異なるモードで機能するよう動作可能であり、モードの一方は、より低い吸引力をもたらし、モードの他方は、より高い吸引力をもたらすことを特徴とする電気カミソリによって達成される。
【０００８】
１つは切断ユニット用であり、１つは吸引ユニット用である、２つの異なるモードを有する、そのような電気カミソリは、切断ユニットの動作と無関係に、吸引ユニットのための異なる駆動モードを選択することを可能にする。吸引ユニットのための異なる駆動モードは、収集されるべき切落としの長さ、厚さ、及び、数に適合される電気カミソリの使用者から選択されるべき異なる吸引力を可能にするという重要な利点を有する。よって、切落としの効率的な収集が、全ての状況において保証される。
【０００９】
より高い吸引力は、普通、より高いエネルギ消費の結果を有し、時折、より高い騒音のような他の厄介を有する。それが実際に必要なときに、より高い吸引力のみを選択する可能性は、エネルギ消費の最小限化を可能にし、且つ、必要な吸引力を提供することを可能にするという利点を有する。
【００１０】
電気カミソリは、人間であれ、或いは、動物であれ、毛管であれ、髭であれ、陰毛であれ、或いは、その他であれ、如何なる種類の毛に対しても使用され得ることが分かるであろう。
【００１１】
本発明の好適実施態様において、吸引ユニットは、第二モータによって駆動されるファンを含む。ファンは、空気を輸送し、よって、ファンによって取り込まれる空気と共に切落としを吸引する真空を創成する。ファンに基づく吸引ユニットは、比較的安価であるという利点を有する。余り多くの空間を必要とせず、従って、電気カミソリ内部で簡単に実施され得る。
【００１２】
有利に、第二モータは、異なる値の毎分回転数で動作可能である。吸引ユニットのモータを異なる値の毎分回転数で動作することによって、異なる吸引力が達成され得る。特に、ファンに基づく吸引システムの場合には、ファンの速度は、駆動モータの毎分回転数のより高い値によって増大される。ファンの速度が高ければ高いほど、結果として得られる吸引力は高い。
【００１３】
本発明の好適実施態様において、吸引ユニットは、第二モータによって駆動される２つのラジアルファンを含む。この実施態様は、２つの吸引流を有することによる吸引力の特定の幾何学的配置のための構成を可能にするという利点を有する。これは切落としを吸引し且つ収集する効率をさらに向上する。
【００１４】
電気カミソリケーシングは、好ましくは、毛切落としを収集する容器を含み、この容器は、ファンの前で、吸引方向に配置される。毛切落としはファンに達しないので、ファンの保守の必要はより少なく、よって、電気カミソリの使用の容易さ及び耐用年数を向上する。
【００１５】
ＵＳ２００４／０００６８７３Ａ１号は、毛クリッパ及び吸引収集システムを開示していることが付記されるべきである。毛切落としがクリッパハンドル部分を通じて吸引して取り除かれる毛クリッパが開示されている。個人的サイズの真空毛収集キャニスタ及び吸引ホースが必要とされる。吸引収集システムモータは、吸引収集システムモータを制御する可変モータスイッチを有する。吸引収集システムモータは、高低の吸引力を生成するようにも設定され得る。
【００１６】
さらに、ＵＳ２００６／０１７２５１６Ａ１号は、毛が切断されるときに切り込まれる毛を収集室内に引き込む真空源を備える電気カミソリを開示していることが付記されるべきである。ＵＳ２００６／０１６２５１６Ａ１号に開示される切断ユニット及び真空ユニットは、同一の本体部分の一部である。真空源を駆動する電気モータは、切断部分のブレード組を駆動する電気モータと同じ電力スイッチに接続されている。
【００１７】
さらに、ＤＥ２７４７８９６Ａ１号は、毛粒子をシェービング装置内に吸引するための通気ユニットを備えるシェービング装置を開示していることが付記されるべきである。シェービング装置、通気ユニット、並びに、粒子収集ユニットは、同一の本体内に収容されている。
【００１８】
本発明の詳細な記載が以下に提供される。前記記載は、添付の図面を参照して読まれるべき非限定的な実施例によって提供される。
【図面の簡単な説明】
【００１９】
【図１】電気カミソリの第一実施態様を示す概略図である。
【図２】電気カミソリの第二実施態様を示す概略図である。
【図３】ラジアルファンの実施例を示す斜視図である。
【図４ａ】電気カミソリの第三実施態様を示す断面図である。
【図４ｂ】電気カミソリの第三実施態様を示す三次元図である。
【図５】電気カミソリのさらなる実施態様を示す断面図である。
【発明を実施するための形態】
【００２０】
本発明は電気カミソリ（髭トリマ）１に関してより詳細に説明される。しかしながら、本発明は、例えば、クリッパ又はシェーバのような、切断又は刈込みのために設計される如何なる装置にも同様に実施され得ることが分かるであろう。
【実施例１】
【００２１】
図１は、切断ユニット２と、吸引ユニット３とを含む、電気カミソリ１の第一実施態様を概略的に示しており、切断ユニット及び吸引ユニットは、双方とも、ケーシング７内に収容されている。切断ユニット２の主要構成部品は、スピンドル２１、伝動装置２４、及び、シャフト２２の助けを受けて、周知の方法で往復動するブレード２３を駆動する電気モータ２０である。往復運動の方向は、二重矢印によって示されている。
【００２２】
電気モータ２０は再負荷可能な電池４によって電力供給され、スイッチ５１を押し下げることによってオンオフ切り替えられ得る。ランプ６１は電気モータ２０のスイッチがオンにされたか否かを表示する。
【００２３】
当業者によって周知であるように、ブレード２３の一方は固定的であり、ブレード２３の他方は、固定ブレードに対して往復動的に移動する。刈り込まれるべき毛が櫛によるように固定ブレードによって捕捉され、次に、往復動するブレードの移動する歯によって切断されるよう、両方のブレード２３は歯付きである。切断される毛又は切落としは、それらが直ぐ隣の環境を汚す前に、吸引ユニット３によって吸収される。
【００２４】
これを達成するために、吸引ユニット３は、ブレード２３の隣から開始し、空気、及び、究極的には、切落としをファン３２に導く取入口３３を含む。ファン３２は、ラジアルファンであり、その内部設計は、図３に例証されている。ファン３２は、底板３２２と、頂板（図１を参照）と、側壁（図示せず）とによって閉じ込められる湾曲した翼３２０を含み、空気／切落とし入力のための開口３６と、切落としを収集するための容器３４に至る空気／切落とし出力のための開口３７とを備える。その軸の周りでファン３２を回転し、よって、翼３２０を移動することによって、空気、及び、究極的には、切落としは、外側から空気取入口３３を通じて容器３４にファン３２の径方向に輸送され、切落としは、容器で収集される。
【００２５】
如何なる他の種類のファン、具体的には、軸流ファンも同様に使用され得ることが分かるであろう。
【００２６】
容器３４内に吸引される空気は、フィルタ３５を通じて容器から出ることが可能であり、フィルタは、切落としが容器３４内部に保持されることを保証する。精巧さの低い実施態様では、容器３４とケーシング７内部の他の構成部品並びにケーシングの隣接部分との間のスリットが、フィルタ３５の機能を有し得る。容器３４は、それを空にするために、ケーシング７から取り外し可能である。充満レベルは、専用表示器で示され得る。他の可能性は、容器３４のために透明材料を選択することである。
【００２７】
ファン３２は、スピンドル３１の助けを受けて、電気モータ３０のお陰で回転される。ファン３２は、スピンドル３１と結合されるべきアダプタ３２１（図３を参照）を有する。モータ３０は、切断ユニット２のモータ２０のような再負荷可能な電池４によって電力供給され、スイッチ５２を異なる位置にシフトすることによって切り替えられ得る。各位置は、ファン３２及びモータ３０の毎分回転数の一定値をそれぞれ表し、点灯されたり消灯されたりする１つ又はそれよりも多くのランプ６２によって表示される。
【００２８】
ファン３２の寸法及び毎分回転数に依存して、ファン３２によって輸送される毎時間単位容積、即ち、吸引力は変化する。毎時間単位容積の比率は、毎分回転数の比率と等しい。例えば、３６ｍｍの直径を有する図３に示されるようなファンを備える図１に示される実施態様に従ったトリマは、モータ３０及びファン３２の約６５００毎分回転数に関して約１毎秒リットル、約８０００毎分回転数に関して１．２５毎秒リットルの吸引空気容積を達成し得る。試験は、毎分回転数の値を増大することによる明らかな制限なしに吸引力が増大され得るのに対し、毎分回転数の値を増大することによって切断能力が所定レベルまでだけ増大され得ることを示した。もし値が高過ぎる、即ち、往復動ブレードが速く移動し過ぎるならば、切断されるよりも多くの毛がブレード歯の外側に押される。
【００２９】
３６ｍｍの直径を有するファン３２を備える例証的な電気カミソリの場合には、許容可能な切断性能を保証する最大可能な値は、約９０００毎分回転数である。毎分回転数が増大すると、エネルギ消費のみならず、生成される騒音も増大する。良好な切断能力のみならず、適度のエネルギ消費並びに過剰な騒音の回避の観点からも、前記例証的な電気カミソリの場合に、約６５００毎分回転数の値が、切断ユニット２のモータ２０のために好適であるのに対し、吸引ユニット３のモータ３０のためにも、吸引ユニット３をオンに切り替えるときに、毎分回転数の規定値は同様に約６５００毎分回転数である。しかしながら、吸引モータ３０は、吸引力を増大するために、より高い値、例えば、７５００、８５００、及び、９５００毎分回転数まで切り替えられ得る。より低い並びにより高い吸引動力モードのみを有する類似の例証的な電気カミソリの場合には、より低いモード、例えば、約６５００毎分回転数、並びに、より良好な吸引のためのより高いモード、例えば、約８０００毎分回転数が選択され得る。
【００３０】
毎分回転数の所望の値は、それぞれのトリマの寸法、具体的には、ファン及び空気取入口並びにモータの寸法に依存することが分かるであろう。
【００３１】
１つは切断ユニット２のためで、１つは他方は吸引ユニット３のための、２つの異なるモータ２０，３０を有する電気カミソリ１は、切断ユニット２の動作と独立して、吸引ユニット３のための異なる駆動モードを選択することを可能にする。吸引ユニット３のための異なる駆動モードは、収集されるべき切落としの長さ、厚さ、及び、数に適合される電気カミソリ１の使用者から選択されるべき異なる吸引力を可能にするという重要な利点を有する。よって、切落としの効率的な収集が全ての状況において保証される。
【００３２】
より高い吸引力は、普通、より高いエネルギ消費の結果を有し、時折、より高い騒音のような他の厄介を有する。それが実際に必要であるときに、より高い吸引力のみを選択する可能性は、必要な吸引力を提供するにも拘わらず、エネルギ消費及び騒音の最小限化を可能にするという利点を有する。
【００３３】
２つの異なるモータ２０，３０を有することは、騒音の観点から特に有利である。何故ならば、切断ユニット２は、普通、同一の値の毎分回転数に関して吸引ユニット３よりも騒々しいからである。よって、切断ユニット２及び吸引ユニット３を駆動する１つだけのモータを有するトリマと比較して、より少ない騒音を伴うより高い吸引力を提供することが可能である。それにも拘わらず、実際の刈込み状況の機能において吸引力を規制する可能性は、切断ユニット及び吸引ユニットのための１つのモータと共に、トリマの実質的な改良であることが分かるであろう。
【００３４】
当業者に周知であるように、現時点で記載される実施態様は、苅込み長さを規制する追加的な櫛ユニットを可能にすることがさらに分かるであろう。
【実施例２】
【００３５】
図２は、２つのラジアルファン３２ａ，３２ｂを備える電気カミソリの実施態様を概略的に例証している。両方のファン３２ａ，３２ｂは、スピンドル３１、伝動機構３８、スピンドル３９ａ，３９ｂを経由して、モータ３０によって駆動される。各ファン３２ａ，３２ｂは、その専用の空気取入口３３ａ，３３ｂを有する。空気取入口３３ａ，３３ｂは、切落としの吸引をより効率的にするために、ブレード２３の各側で空気を取り込み、毛切落としを吸引するよう配置される。両方のファン３２ａ，３２ｂは、切落としを収集するための共通の容器３４内に空気及び切落としを排出する。
【００３６】
切落とし吸引を向上するために達成することを望む吸引幾何に依存して、空気取入口は他の方法でも配置され得ることが分かるであろう。同様に、２つよりも多く、例えば、３つ、４つ、５つのファンも使用され得るし、必要とされるトリマの寸法及び吸引力に依存して、ファンは個別のモータによっても駆動され得る。
【００３７】
図２に例証されるような実施態様では、例えば、右側耳又は左側耳の周りの毛を刈り込むかに依存してトリマが頭毛を刈り込むために使用される場合には、他方のファンと独立して一方のファンの吸引力を規制し得るよう各１つのファンを駆動する、２つのモータを有することが有利であり得る。
【実施例３】
【００３８】
図４ａは、電気カミソリ１のさらなる実施態様の切断図を概略的に示している。図４ａに示される電気カミソリ１は、毛切落としを収集するための容器３４がファン３２の前に吸引方向に配置されている点で、前のものと異なる。
【００３９】
吸引方向は、電気カミソリ１を通じる吸引空気の進路を例証する矢印によって示されている。即ち、空気は、毛切落としが行われるブレードの直ぐ隣で吸引される。図４ｂ中の電気カミソリ１の三次元図から見られ得るように、空気取入口３３は、最大の毛切落としを最適に吸引するよう、細長く且つブレード３３と平行である。毛切落としは、ブレード２３を駆動するモータ２０の隣の容器３４（図４ａを参照）内に直ちに導かれる。そこでは、毛切落としは収集されるのに対し、空気は、スピンドル３９を介してモータ３０によって駆動されるファン３２自体に入る前に、フィルタ３５を通じて中間室４１内を移り、空気排出口３３０を通じて電気カミソリ１のケーシング３７から出る。現在の実施例において、排出口３３０は、ファン３２のハウジングによって形成され、多数の孔（図４ｂも参照）を提供する。モータ３０は、異なる速度にあるファンの回転を提供するよう、異なる速度で動作するよう構成され、よって、使用者によって選択されるべき異なる吸引力を保証する。
【００４０】
ファン３４の前の容器３４の現在の配置は、幾つかの利点を有する。ファン３２が毛切落としで汚されることを防止することの他に、それは最小の空間を必要とする容器３２の容易な取り外しを可能にする。それはさらに空気取入口３３の拡大を可能にする。これは中間室４１によって強化され、空気によって通らされるより一層大きい地域をもたらす。これはファン３２の吸引力を大きく向上する。何故ならば、流れ抵抗が減少されるからである。
【実施例４】
【００４１】
図５は、上述された着想がブレード２３並びにファン３２を駆動するための１つだけのモータ４０を有する電気カミソリ１にも適合され得ることを示している。この目的を達成するために、モータ４０は、ブレード２３を駆動する第一スピンドルと、ファン３２を駆動する第二スピンドル３９とを提示する。図５の電気カミソリ１は、製造するのがより簡単であり、より低いエネルギ消費を有する。しかしながら、幾つかの欠点がある。１つは、２つのモータの実施態様よりも高い吸引力で動作されるときに、電気カミソリがより騒々しいことである。何故ならば、高速で移動するブレードは、極めて騒々しいからである。次に、上記に説明されたように、提供され得る吸引力は、切断効率が高速と共に悪化するという事実によって制限される。さらに、もしモータ４０が故障するならば、電気カミソリは使用され得ないのに対し、２つのモータを備える電気カミソリは、ファンモータ３０のみが故障しても、依然として使用され得る。
【００４２】
本発明の幾つかの好適実施態様が記載されたが、当業者は、様々な変更、改変、及び、置換が本発明の精神及び着想から逸脱せずに行われ得ることを理解するであろう。従って、本発明は、その形態又は付属の請求項の適切な範囲での修正のいずれにおいても請求される。例えば、以下の従属項の機能の様々な組み合わせは、本発明の範囲から逸脱せずに、独立項の機能と共に行われ得る。さらに、請求項内の如何なる参照番号も範囲を制限するものとして解釈されてはならない。
【符号の説明】
【００４３】
１      電気カミソリ（髭剃り）
２      切断ユニット
２０    モータ
２１    スピンドル
２２    シャフト
２３    ブレード
２４    伝動機構（ギアリング）
３      吸引ユニット
３０    モータ
３１    スピンドル
３２    ラジアルファン
３２ａ，ｂ  ラジアルファン
３２０  翼（ベーン）
３２１  アダプタ
３２２  底
３２３  蓋
３３    空気取入口
３３ａ，ｂ  空気取入口
３３０  空気排出口
３４    容器
３５    フィルタ
３６    入力
３７    出力
３８    伝動機構（ギアリング）
３９    スピンドル
３９ａ，ｂ  スピンドル
４      電池
４０    モータ
４１    中間室
５１    スイッチ
５２    スイッチ
６１    ランプ
６２    ランプ
７      ケーシング
【手続補正２】
【補正対象書類名】特許請求の範囲
【補正対象項目名】全文
【補正方法】変更
【補正の内容】
【特許請求の範囲】
【請求項１】
第一モータによって駆動される毛を刈り込むための切断ユニットと、
第二モータによって駆動される切落としを吸収するための吸引ユニットとを含む、
ケーシングを有する電気カミソリであって、
前記第二モータは、前記切断ユニットの動作と独立して、少なくとも２つの異なるモードで機能するよう動作可能であり、前記モードの一方は、より低い吸引力をもたらし、前記モードの他方は、より高い吸引力をもたらすことを特徴とする、
電気カミソリ。
【請求項２】
前記吸引ユニットは、前記第二モータによって駆動されるファンを含むことを特徴とする、請求項１に記載の電気カミソリ。
【請求項３】
前記第二モータは、異なる値の毎分回転数で動作可能であることを特徴とする、請求項２に記載の電気カミソリ。
【請求項４】
前記吸引ユニットは、前記第二モータによって駆動される２つのラジアルファンを含むことを特徴とする、請求項２又は３のいずれか１項に記載の電気カミソリ。
【請求項５】
前記ケーシングは、毛切落としを収集する容器を含み、該容器は、前記ファンの前に、吸引方向に配置されることを特徴とする、請求項２乃至４のうちのいずれか１項に記載の電気カミソリ。
【国際調査報告】
2010503450.tif 000009
2010503450.tif 000010